(57)【要約】  特殊動作状態に関連したメッセージをデータバーストが含んでいることを、特殊動作状態の移動体通信デバイスにシグナリングする技法。シグナリングは、フレーム制御ヘッダ（ＦＣＨ）中の１つ以上のビットを使用して実現する。結果として、移動体通信デバイスは、初めにＦＣＨをデコードし、データバーストが関連したメッセージを含んでいるという表示がある場合のみに、データバーストをデコードする。関連したメッセージを有さないデータバーストのデコーディングを回避することにより、移動体通信デバイスにおいて、電力セービングを達成する。【選択図】    図７
2011524697.tif 000002
【特許請求の範囲】
【請求項１】
ワイヤレス通信デバイス中で、前記デバイスが特殊動作状態にある間に、フレームデータを選択的にデコードするための方法において、
１つ以上のデータバーストとメッセージ表示フィールドを有するフレーム制御ヘッダとを含むフレームデータを受信することと、
前記データバーストをデコードする前に、前記フレーム制御ヘッダをデコードすることと、
前記特殊動作状態に関連したメッセージを前記データバーストが含んでいることを、前記メッセージ表示フィールド中の１つ以上のビットが示す場合に、前記データバーストのうちの１つ以上のものをデコードすることと、
前記特殊動作状態に関連したメッセージを前記データバーストが含んでいないことを、前記メッセージ表示フィールド中の１つ以上のビットが示す場合に、前記データバーストをデコードすることなく、後続のフレームデータを待つこととを含む方法。
【請求項２】
前記特殊動作状態は、初期捕捉状態を含み、
前記特殊動作状態に関連したメッセージを前記データバーストが含んでいることを、前記メッセージ表示フィールド中の１つ以上のビットが示す場合に、前記データバーストのうちの１つ以上のものをデコードすることは、アップリンクチャネル記述（ＵＣＤ）とダウンリンクチャネル記述（ＤＣＤ）とのうちの少なくとも１つを前記データバーストが含んでいることを、前記メッセージ表示フィールド中の１つ以上のビットが示す場合に、前記データバーストをデコードすることを含む請求項１記載の方法。
【請求項３】
前記特殊動作状態は、スリープモードを含み、
前記特殊動作状態に関連したメッセージを前記データバーストが含んでいることを、前記メッセージ表示フィールド中の１つ以上のビットが示す場合に、前記データバーストのうちの１つ以上のものをデコードすることは、前記デバイスに宛てられているトラフィックの到着を表すメッセージを前記データバーストが含んでいることを、前記メッセージ表示フィールド中の１つ以上のビットが示す場合に、前記データバーストをデコードすることを含む請求項１記載の方法。
【請求項４】
前記特殊動作状態に関連したメッセージを前記データバーストが含んでいることを、前記メッセージ表示フィールド中の１つ以上のビットが示す場合に、前記データバーストをデコードすることなく、後続のフレームデータを待つことは、
前記スリープモードのスリープ間隔に対して１つ以上のコンポーネントを電力切断することと、
前記スリープモードのリスニング間隔の間に、前記電源切断されたコンポーネントを電源投入することとを含む請求項３記載の方法。
【請求項５】
前記特殊動作状態は、アイドルモードを含み、
前記特殊動作状態に関連したメッセージを前記データバーストが含んでいることを、前記メッセージ表示フィールド中の１つ以上のビットが示す場合に、前記データバーストをデコードすることは、前記デバイスが基地局に位置更新を提供する必要性を表すページングメッセージを前記データバーストが含んでいることを、前記メッセージ表示フィールド中の１つ以上のビットが示す場合に、前記データバーストをデコードすることを含む請求項１記載の方法。
【請求項６】
特殊動作状態に関連したメッセージをデータのフレームが含んでいることを、前記特殊動作状態のワイヤレス通信デバイスにシグナリングするための方法において、
前記ワイヤレス通信デバイスの前記特殊動作状態に関連したメッセージが前記フレームの対応するデータバースト中に含まれていることを示すための１つ以上のビットを持つメッセージ表示フィールドを有する、フレームに対するフレーム制御ヘッダを発生させることと、
前記フレーム制御ヘッダを送信することとを含む方法。
【請求項７】
関連したメッセージの存在の肯定表示として、前記メッセージ表示フィールド中の１つ以上のビットを設定することと、
データバースト中で前記関連したメッセージを送信することとをさらに含む請求項６記載の方法。
【請求項８】
前記データバースト中に特定タイプの関連したメッセージが含まれていることを示すように、前記メッセージ表示フィールドの特定のビットを設定することをさらに含む請求項６記載の方法。
【請求項９】
前記データバースト中に特定タイプの関連したメッセージが含まれていることを示すように、前記メッセージ表示フィールドの特定のビットを設定することは、
アップリンクチャネル記述（ＵＣＤ）とダウンリンクチャネル記述（ＤＣＤ）とのうちの少なくとも１つを前記データバーストが含んでいることを示すように、前記メッセージ表示フィールドの特定のビットを設定することを含む請求項８記載の方法。
【請求項１０】
前記データバースト中に特定タイプの関連したメッセージが含まれていることを示すように、前記メッセージ表示フィールドの特定のビットを設定することは、
前記デバイスに宛てられているトラフィックの到着を表すメッセージを前記データバーストが含んでいることを示すように、前記メッセージ表示フィールドの特定のビットを設定することを含む請求項８記載の方法。
【請求項１１】
前記データバースト中に特定タイプの関連したメッセージが含まれていることを示すように、前記メッセージ表示フィールドの特定のビットを設定することは、
前記デバイスが基地局に位置更新を提供する必要性を表すページングメッセージを前記データバーストが含んでいることを示すように、前記メッセージ表示フィールドの特定のビットを設定することを含む請求項８記載の方法。
【請求項１２】
特殊動作状態の間に、フレームデータを選択的にデコードする移動局において、
１つ以上のデータバーストとメッセージ表示フィールドを有するフレーム制御ヘッダとを含むフレームデータを受信する論理と、
前記データバーストをデコードする前に、前記フレーム制御ヘッダをデコードする論理と、
前記特殊動作状態に関連したメッセージを前記データバーストが含んでいることを、前記メッセージ表示フィールド中の１つ以上のビットが示す場合に、前記データバーストのうちの１つ以上のものをデコードする論理と、
前記特殊動作状態に関連したメッセージを前記データバーストが含んでいないことを、前記メッセージ表示フィールド中の１つ以上のビットが示す場合に、前記データバーストをデコードすることなく、後続のフレームデータを待つ論理とを具備する移動局。
【請求項１３】
前記特殊動作状態は、初期捕捉状態を含み、
前記特殊動作状態に関連したメッセージを前記データバーストが含んでいることを、前記メッセージ表示フィールド中の１つ以上のビットが示す場合に、前記データバーストのうちの１つ以上のものをデコードする論理は、アップリンクチャネル記述（ＵＣＤ）とダウンリンクチャネル記述（ＤＣＤ）とのうちの少なくとも１つを前記データバーストが含んでいることを、前記メッセージ表示フィールド中の１つ以上のビットが示す場合に、前記データバーストをデコードするように構成されている請求項１２記載の移動局。
【請求項１４】
前記特殊動作状態は、スリープモードを含み、
前記特殊動作状態に関連したメッセージを前記データバーストが含んでいることを、前記メッセージ表示フィールド中の１つ以上のビットが示す場合に、前記データバーストのうちの１つ以上のものをデコードする論理は、前記デバイスに宛てられているトラフィックの到着を表すメッセージを前記データバーストが含んでいることを、前記メッセージ表示フィールド中の１つ以上のビットが示す場合に、前記データバーストをデコードするように構成されている請求項１２記載の移動局。
【請求項１５】
前記特殊動作状態に関連したメッセージを前記データバーストが含んでいることを、前記メッセージ表示フィールド中の１つ以上のビットが示す場合に、前記データバーストをデコードすることなく、後続のフレームデータを待つ論理は、
前記スリープモードのスリープ間隔に対して１つ以上のコンポーネントを電力切断し、
前記スリープモードのリスニング間隔の間に、前記電源切断されたコンポーネントを電源投入するように構成されている請求項１４記載の移動局。
【請求項１６】
前記特殊動作状態は、アイドルモードを含み、
前記特殊動作状態に関連したメッセージを前記データバーストが含んでいることを、前記メッセージ表示フィールド中の１つ以上のビットが示す場合に、前記データバーストをデコードする論理は、前記デバイスが基地局に位置更新を提供する必要性を表すページングメッセージを前記データバーストが含んでいることを、前記メッセージ表示フィールド中の１つ以上のビットが示す場合に、前記データバーストをデコードするように構成されている請求項１２記載の移動局。
【請求項１７】
ワイヤレスデバイスの特殊動作状態に関連したメッセージをデータのフレームが含んでいることをシグナリングする装置において、
前記ワイヤレス通信デバイスの前記特殊動作状態に関連したメッセージが前記フレームの対応するデータバースト中に含まれていることを示すための１つ以上のビットを持つメッセージ表示フィールドを有する、フレームに対するフレーム制御ヘッダを発生させる論理と、
前記フレーム制御ヘッダを送信する論理とを具備する装置。
【請求項１８】
前記フレーム制御ヘッダを発生させる論理は、関連したメッセージの存在の肯定表示として、前記メッセージ表示フィールド中の１つ以上のビットを設定するように構成されている請求項１７記載の装置。
【請求項１９】
前記フレーム制御ヘッダを発生させる論理は、前記データバースト中に特定タイプの関連したメッセージが含まれていることを示すために、前記メッセージ表示フィールドの特定のビットを設定するように構成されている請求項１７記載の装置。
【請求項２０】
前記フレーム制御ヘッダを発生させる論理は、アップリンクチャネル記述（ＵＣＤ）とダウンリンクチャネル記述（ＤＣＤ）とのうちの少なくとも１つを前記データバーストが含んでいることを示すために、前記メッセージ表示フィールドの特定のビットを設定するように構成されている請求項１９記載の装置。
【請求項２１】
前記フレーム制御ヘッダを発生させる論理は、前記デバイスに宛てられているトラフィックの到着を表すメッセージを前記データバーストが含んでいることを示すために、前記メッセージ表示フィールドの特定のビットを設定するように構成されている請求項１９記載の装置。
【請求項２２】
前記フレーム制御ヘッダを発生させる論理は、前記デバイスが基地局に位置更新を提供する必要性を表すページングメッセージを前記データバーストが含んでいることを示すために、前記メッセージ表示フィールドの特定のビットを設定するように構成されている請求項１９記載の装置。
【請求項２３】
特殊動作状態の間に、フレームデータを選択的にデコードする移動局において、
１つ以上のデータバーストとメッセージ表示フィールドを有するフレーム制御ヘッダとを含むフレームデータを受信する手段と、
前記データバーストをデコードする前に、前記フレーム制御ヘッダをデコードする手段と、
前記特殊動作状態に関連したメッセージを前記データバーストが含んでいることを、前記メッセージ表示フィールド中の１つ以上のビットが示す場合に、前記データバーストのうちの１つ以上のものをデコードする手段と、
前記特殊動作状態に関連したメッセージを前記データバーストが含んでいないことを、前記メッセージ表示フィールド中の１つ以上のビットが示す場合に、前記データバーストをデコードすることなく、後続のフレームデータを待つ手段とを具備する移動局。
【請求項２４】
前記特殊動作状態は、初期捕捉状態を含み、
前記特殊動作状態に関連したメッセージを前記データバーストが含んでいることを、前記メッセージ表示フィールド中の１つ以上のビットが示す場合に、前記データバーストのうちの１つ以上のものをデコードする手段は、アップリンクチャネル記述（ＵＣＤ）とダウンリンクチャネル記述（ＤＣＤ）とのうちの少なくとも１つを前記データバーストが含んでいることを、前記メッセージ表示フィールド中の１つ以上のビットが示す場合に、前記データバーストをデコードするように構成されている請求項２３記載の移動局。
【請求項２５】
前記特殊動作状態は、スリープモードを含み、
前記特殊動作状態に関連したメッセージを前記データバーストが含んでいることを、前記メッセージ表示フィールド中の１つ以上のビットが示す場合に、前記データバーストのうちの１つ以上のものをデコードする手段は、前記デバイスに宛てられているトラフィックの到着を表すメッセージを前記データバーストが含んでいることを、前記メッセージ表示フィールド中の１つ以上のビットが示す場合に、前記データバーストをデコードするように構成されている請求項２３記載の移動局。
【請求項２６】
前記特殊動作状態に関連したメッセージを前記データバーストが含んでいることを、前記メッセージ表示フィールド中の１つ以上のビットが示す場合に、前記データバーストをデコードすることなく、後続のフレームデータを待つ手段は、
前記スリープモードのスリープ間隔に対して１つ以上のコンポーネントを電力切断し、
前記スリープモードのリスニング間隔の間に、前記電源切断されたコンポーネントを電源投入するように構成されている請求項２５記載の移動局。
【請求項２７】
前記特殊動作状態は、アイドルモードを含み、
前記特殊動作状態に関連したメッセージを前記データバーストが含んでいることを、前記メッセージ表示フィールド中の１つ以上のビットが示す場合に、前記データバーストをデコードする手段は、前記デバイスが基地局に位置更新を提供する必要性を表すページングメッセージを前記データバーストが含んでいることを、前記メッセージ表示フィールド中の１つ以上のビットが示す場合に、前記データバーストをデコードするように構成されている請求項２３記載の移動局。
【請求項２８】
ワイヤレスデバイスの特殊動作状態に関連したメッセージをデータのフレームが含んでいることをシグナリングする装置において、
前記ワイヤレス通信デバイスの前記特殊動作状態に関連したメッセージが前記フレームの対応するデータバースト中に含まれていることを示すための１つ以上のビットを持つメッセージ表示フィールドを有する、フレームに対するフレーム制御ヘッダを発生させる手段と、
前記フレーム制御ヘッダを送信する手段とを具備する装置。
【請求項２９】
前記フレーム制御ヘッダを発生させる手段は、関連したメッセージの存在の肯定表示として、前記メッセージ表示フィールド中の１つ以上のビットを設定するように構成されている請求項２８記載の装置。
【請求項３０】
前記フレーム制御ヘッダを発生させる手段は、前記データバースト中に特定タイプの関連したメッセージが含まれていることを示すために、前記メッセージ表示フィールドの特定のビットを設定するように構成されている請求項２８記載の装置。
【請求項３１】
前記フレーム制御ヘッダを発生させる手段は、アップリンクチャネル記述（ＵＣＤ）とダウンリンクチャネル記述（ＤＣＤ）とのうちの少なくとも１つを前記データバーストが含んでいることを示すために、前記メッセージ表示フィールドの特定のビットを設定するように構成されている請求項３０記載の装置。
【請求項３２】
前記フレーム制御ヘッダを発生させる手段は、前記デバイスに宛てられているトラフィックの到着を表すメッセージを前記データバーストが含んでいることを示すために、前記メッセージ表示フィールドの特定のビットを設定するように構成されている請求項３０記載の装置。
【請求項３３】
前記フレーム制御ヘッダを発生させる手段は、前記デバイスが基地局に位置更新を提供する必要性を表すページングメッセージを前記データバーストが含んでいることを示すために、前記メッセージ表示フィールドの特定のビットを設定するように構成されている請求項３０記載の装置。
【請求項３４】
ワイヤレス通信デバイス中で、前記デバイスが特殊動作状態にある間に、フレームデータを選択的にデコードするために、データを処理するためのコンピュータプログラムプロダクトにおいて、
この上に記憶されている１組の命令を持つコンピュータ読取可能媒体を具備し、
前記１組の命令は、１つ以上のプロセッサにより実行可能であり、
前記１組の命令は、
１つ以上のデータバーストとメッセージ表示フィールドを有するフレーム制御ヘッダとを含むフレームデータを受信するための命令と、
前記データバーストをデコードする前に、前記フレーム制御ヘッダをデコードするための命令と、
前記特殊動作状態に関連したメッセージを前記データバーストが含んでいることを、前記メッセージ表示フィールド中の１つ以上のビットが示す場合に、前記データバーストのうちの１つ以上のものをデコードするための命令と、
前記特殊動作状態に関連したメッセージを前記データバーストが含んでいないことを、前記メッセージ表示フィールド中の１つ以上のビットが示す場合に、前記データバーストをデコードすることなく、後続のフレームデータを待つための命令と含むコンピュータプログラムプロダクト。
【請求項３５】
前記特殊動作状態は、初期捕捉状態を含み、
前記特殊動作状態に関連したメッセージを前記データバーストが含んでいることを、前記メッセージ表示フィールド中の１つ以上のビットが示す場合に、前記データバーストのうちの１つ以上のものをデコードするための命令は、アップリンクチャネル記述（ＵＣＤ）とダウンリンクチャネル記述（ＤＣＤ）とのうちの少なくとも１つを前記データバーストが含んでいることを、前記メッセージ表示フィールド中の１つ以上のビットが示す場合に、前記データバーストをデコードするための命令を含む請求項３４記載のコンピュータプログラムプロダクト。
【請求項３６】
前記特殊動作状態は、スリープモードを含み、
前記特殊動作状態に関連したメッセージを前記データバーストが含んでいることを、前記メッセージ表示フィールド中の１つ以上のビットが示す場合に、前記データバーストのうちの１つ以上のものをデコードするための命令は、前記デバイスに宛てられているトラフィックの到着を表すメッセージを前記データバーストが含んでいることを、前記メッセージ表示フィールド中の１つ以上のビットが示す場合に、前記データバーストをデコードするための命令を含む請求項３４記載のコンピュータプログラムプロダクト。
【請求項３７】
前記特殊動作状態に関連したメッセージを前記データバーストが含んでいることを、前記メッセージ表示フィールド中の１つ以上のビットが示す場合に、前記データバーストをデコードすることなく、後続のフレームデータを待つための命令は、
前記スリープモードのスリープ間隔に対して１つ以上のコンポーネントを電力切断するための命令と、
前記スリープモードのリスニング間隔の間に、前記電源切断されたコンポーネントを電源投入するための命令とを含む請求項３６記載のコンピュータプログラムプロダクト。
【請求項３８】
前記特殊動作状態は、アイドルモードを含み、
前記特殊動作状態に関連したメッセージを前記データバーストが含んでいることを、前記メッセージ表示フィールド中の１つ以上のビットが示す場合に、前記データバーストをデコードするための命令は、前記デバイスが基地局に位置更新を提供する必要性を表すページングメッセージを前記データバーストが含んでいることを、前記メッセージ表示フィールド中の１つ以上のビットが示す場合に、前記データバーストをデコードするための命令を含む請求項３４記載のコンピュータプログラムプロダクト。
【請求項３９】
特殊動作状態に関連したメッセージをデータのフレームが含んでいることを、前記特殊動作状態のワイヤレス通信デバイスにシグナリングするために、データを処理するためのコンピュータプログラムプロダクトにおいて、
この上に記憶されている１組の命令を持つコンピュータ読取可能媒体を具備し、
前記１組の命令は、１つ以上のプロセッサにより実行可能であり、
前記１組の命令は、
前記ワイヤレス通信デバイスの前記特殊動作状態に関連したメッセージが前記フレームの対応するデータバースト中に含まれていることを示すための１つ以上のビットを持つメッセージ表示フィールドを有する、フレームに対するフレーム制御ヘッダを発生させるための命令と、
前記フレーム制御ヘッダを送信するための命令とを含むコンピュータプログラムプロダクト。
【請求項４０】
関連したメッセージの存在の肯定表示として、前記メッセージ表示フィールド中の１つ以上のビットを設定するための命令と、
データバースト中で前記関連したメッセージを送信するための命令とをさらに含む請求項３９記載のコンピュータプログラムプロダクト。
【請求項４１】
前記データバースト中に特定タイプの関連したメッセージが含まれていることを示すように、前記メッセージ表示フィールドの特定のビットを設定するための命令をさらに含む請求項３９記載のコンピュータプログラムプロダクト。
【請求項４２】
前記データバースト中に特定タイプの関連したメッセージが含まれていることを示すように、前記メッセージ表示フィールドの特定のビットを設定するための命令は、
アップリンクチャネル記述（ＵＣＤ）とダウンリンクチャネル記述（ＤＣＤ）とのうちの少なくとも１つを前記データバーストが含んでいることを示すように、前記メッセージ表示フィールドの特定のビットを設定するための命令を含む請求項４１記載のコンピュータプログラムプロダクト。
【請求項４３】
前記データバースト中に特定タイプの関連したメッセージが含まれていることを示すように、前記メッセージ表示フィールドの特定のビットを設定するための命令は、
前記デバイスに宛てられているトラフィックの到着を表すメッセージを前記データバーストが含んでいることを示すように、前記メッセージ表示フィールドの特定のビットを設定するための命令を含む請求項４１記載のコンピュータプログラムプロダクト。
【請求項４４】
前記データバースト中に特定タイプの関連したメッセージが含まれていることを示すように、前記メッセージ表示フィールドの特定のビットを設定するための命令は、
前記デバイスが基地局に位置更新を提供する必要性を表すページングメッセージを前記データバーストが含んでいることを示すように、前記メッセージ表示フィールドの特定のビットを設定するための命令を含む請求項４１記載のコンピュータプログラムプロダクト。
【発明の詳細な説明】
【技術分野】
【０００１】
本開示のある実施形態は、一般的にワイヤレス通信に関連し、さらに詳細には、関連したメッセージをデータのフレームが含むことを通信デバイスにシグナリングする技術に関連している。
【背景】
【０００２】
ＩＥＥＥ８０２．１６の下でのＯＦＤＭおよびＯＦＤＭＡワイヤレス通信システムは、複数の副搬送波の周波数の直交性に基づいて、システム中のサービスに登録しているワイヤレスデバイス（すなわち、移動局）と通信し、基地局のネットワークを使用し、マルチパスフェージングおよび干渉への耐性のような、広帯域ワイヤレス通信に対する多数の技術的利点を達成するように、実現することができる。各基地局（ＢＳ）は、データを移動局（ＭＳ）へ伝え、データを移動局（ＭＳ）から伝える、無線周波数（ＲＦ）信号を放出および受信する。ＢＳからのこのようなＲＦ信号は、さまざまな通信管理機能に対する、データロード（音声および他のデータ）に加えて、オーバーヘッドロードを含む。各ＭＳは、データ処理より前に、受信した各信号のオーバーヘッドロード中の情報を処理する。
【０００３】
ＯＦＤＭＡシステムに対する現行バージョンのＩＥＥＥ８０２．１６標準規格の下で、基地局からのすべてのダウンリンクサブフレームは、オーバーヘッドロードの一部として、プリアンブルとプリアンブルに後続するフレーム制御ヘッダ（ＦＣＨ）とを含む。プリアンブルは、セルとセル内のセルセクタとをサーチするための情報と、時間および周波数の双方で、移動局を受信ダウンリンク信号と同期化するための情報とを含む。ダウンリンクサブフレームのＦＣＨ部分は、ダウンリンク送信フォーマットにおける情報（例えば、ダウンリンクメディアアクセスプロトコル、すなわちＤＬ ＭＡＰ）と、ダウンリンクデータ受信に対する制御情報（例えば、現行のダウンリンクフレーム中の副搬送波の割り振り）とを持つ２４ビットを含む。それゆえ、ＭＳのような受信機は、初めにＦＣＨをデコードして、コーディングタイプと、ＤＬ ＭＡＰの長さとを決定し、対応するＤＬ ＭＡＰをデコードし、その後データを抽出する。
【０００４】
移動体通信デバイスにおける電力消費が非常に懸念されているため、移動局は、あるインアクティビティの期間の後に、スリープモードまたはアイドルモードに入り、あるサブシステムの電源を切断することがある。しかしながら、移動体通信デバイスがスリープモードまたはアイドルモード中であるときでさえ、ページングメッセージ、トラフィック表示メッセージ、ダウンリンクチャネル記述（ＤＣＤ）メッセージ、および、アップリンクチャネル記述（ＵＣＤ）メッセージのような、特定の電力セーブに関連するメッセージを“リスニング”するために、移動体通信デバイスは、周期的に起動して、フレームをデコードする必要がある。
【概要】
【０００５】
ある実施形態は、ワイヤレス通信デバイス中で、デバイスが特殊動作状態にある間に、フレームデータを選択的にデコードするための方法を提供する。方法は、一般的に、１つ以上のデータバーストとメッセージ表示フィールドを有するフレーム制御ヘッダとを含むフレームデータを受信することと、データバーストをデコードする前に、フレーム制御ヘッダをデコードすることと、特殊動作状態に関連したメッセージをデータバーストが含んでいることを、メッセージ表示フィールド中の１つ以上のビットが示す場合に、データバーストのうちの１つ以上のものをデコードすることと、特殊動作状態に関連したメッセージをデータバーストが含んでいないことを、メッセージ表示フィールド中の１つ以上のビットが示す場合に、データバーストをデコードすることなく、後続のフレームデータを待つこととを含む。
【０００６】
ある実施形態は、特殊動作状態に関連したメッセージをデータのフレームが含んでいることを、特殊動作状態のワイヤレス通信デバイスにシグナリングするための方法を提供する。方法は、一般的に、ワイヤレス通信デバイスの特殊動作状態に関連したメッセージがフレームの対応するデータバースト中に含まれていることを示すための１つ以上のビットを持つメッセージ表示フィールドを有する、フレームに対するフレーム制御ヘッダを発生させることと、フレーム制御ヘッダをワイヤレス通信デバイス送信することとを含む。
【０００７】
ある実施形態は、特殊動作状態の間に、フレームデータを選択的にデコードする移動局を提供する。移動局は、一般的に、１つ以上のデータバーストとメッセージ表示フィールドを有するフレーム制御ヘッダとを含むフレームデータを受信する論理と、データバーストをデコードする前に、フレーム制御ヘッダをデコードする論理と、特殊動作状態に関連したメッセージをデータバーストが含んでいることを、メッセージ表示フィールド中の１つ以上のビットが示す場合に、データバーストのうちの１つ以上のものをデコードする論理と、特殊動作状態に関連したメッセージをデータバーストが含んでいないことを、メッセージ表示フィールド中の１つ以上のビットが示す場合に、データバーストをデコードすることなく、後続のフレームデータを待つ論理とを具備する。
【０００８】
ある実施形態は、ワイヤレスデバイスの特殊動作状態に関連したメッセージをデータのフレームが含んでいることをシグナリングする装置を提供する。装置は、一般的に、ワイヤレス通信デバイスの特殊動作状態に関連したメッセージがフレームの対応するデータバースト中に含まれていることを示すための１つ以上のビットを持つメッセージ表示フィールドを有する、フレームに対するフレーム制御ヘッダを発生させる論理と、フレーム制御ヘッダを送信する論理とを具備する。
【０００９】
ある実施形態は、特殊動作状態の間に、フレームデータを選択的にデコードする移動局を提供する。移動局は、一般的に、１つ以上のデータバーストとメッセージ表示フィールドを有するフレーム制御ヘッダとを含むフレームデータを受信する手段と、データバーストをデコードする前に、フレーム制御ヘッダをデコードする手段と、特殊動作状態に関連したメッセージをデータバーストが含んでいることを、メッセージ表示フィールド中の１つ以上のビットが示す場合に、データバーストのうちの１つ以上のものをデコードする手段と、特殊動作状態に関連したメッセージをデータバーストが含んでいないことを、メッセージ表示フィールド中の１つ以上のビットが示す場合に、データバーストをデコードすることなく、後続のフレームデータを待つ手段とを具備する。
【００１０】
ある実施形態は、ワイヤレスデバイスの特殊動作状態に関連したメッセージをデータのフレームが含んでいることをシグナリングする装置を提供する。装置は、一般的に、ワイヤレス通信デバイスの特殊動作状態に関連したメッセージがフレームの対応するデータバースト中に含まれていることを示すための１つ以上のビットを持つメッセージ表示フィールドを有する、フレームに対するフレーム制御ヘッダを発生させる手段と、フレーム制御ヘッダを送信する手段とを具備する。
【００１１】
ある実施形態は、ワイヤレス通信デバイス中で、デバイスが特殊動作状態にある間に、フレームデータを選択的にデコードするためのプログラムを含むコンピュータ読取可能媒体を提供する。プロセッサにより実行されるときに、プログラムは、１つ以上のデータバーストとメッセージ表示フィールドを有するフレーム制御ヘッダとを含むフレームデータを受信することと、データバーストをデコードする前に、フレーム制御ヘッダをデコードすることと、特殊動作状態に関連したメッセージをデータバーストが含んでいることを、メッセージ表示フィールド中の１つ以上のビットが示す場合に、データバーストのうちの１つ以上のものをデコードすることと、特殊動作状態に関連したメッセージをデータバーストが含んでいないことを、メッセージ表示フィールド中の１つ以上のビットが示す場合に、データバーストをデコードすることなく、後続のフレームデータを待つこととを一般的に含む動作を実行する。
【００１２】
ある実施形態は、特殊動作状態に関連したメッセージをデータのフレームが含んでいることを、特殊動作状態のワイヤレス通信デバイスにシグナリングするためのプログラムを具備するコンピュータ読取可能媒体を提供する。プロセッサにより実行されるときに、プログラムは、ワイヤレス通信デバイスの特殊動作状態に関連したメッセージがフレームの対応するデータバースト中に含まれていることを示すための１つ以上のビットを持つメッセージ表示フィールドを有する、フレームに対するフレーム制御ヘッダを発生させることと、フレーム制御ヘッダを送信することとを一般的に含む動作を実行する。
【図面の簡単な説明】
【００１３】
上記に記載した本開示の特徴を詳細に理解できるように、上記において簡潔に要約したものをより特定した説明が、実施形態の参照により得られる。いくつかの実施形態は、添付した図面で図示した。しかしながら、添付した図面は、本開示のいくつかの典型的な実施形態のみを図示しており、それゆえ、本開示の範囲の限定としてみなされるべきではなく、他の同等に効果的な実施形態が、説明のために認められてもよいことに留意すべきである。
【図１】図１は、本開示のある実施形態にしたがった、例示的なワイヤレス通信システムを図示している。
【図２】図２は、本開示のある実施形態にしたがった、ワイヤレスデバイス中で利用されてもよい、さまざまなコンポーネントを図示している。
【図３】図３は、本開示のある実施形態にしたがった、直交周波数分割多重化および直交周波数分割多元接続（ＯＦＤＭ／ＯＦＤＭＡ）技術を利用するワイヤレス通信システム内で使用されてもよい、例示的な送信機および例示的な受信機を図示している。
【図４】図４は、本開示のある実施形態にしたがった、時分割デュプレクス（ＴＤＤ）向けのＯＦＤＭＡフレームの例を図示している。
【図５Ａ】図５Ａは、本開示のある実施形態にしたがった、フレーム制御ヘッダ（ＦＣＨ）にマッピングされる、ダウンリンクメッセージ表示を含むダウンリンクフレームプリフィックス（ＤＬＦＰ）情報を図示している。
【図５Ｂ】図５Ｂは、本開示のある実施形態にしたがった、フレーム制御ヘッダ（ＦＣＨ）にマッピングされる、ダウンリンクメッセージ表示を含むダウンリンクフレームプリフィックス（ＤＬＦＰ）情報を図示している。
【図６】図６は、本開示のある実施形態にしたがった、ＭＳが、電力セービングモードに入るとき、および、電力セービングモードを出るときの、例示的なＢＳ／ＭＳ対話を図示している。
【図７】図７は、本開示のある実施形態にしたがった、電力セービングモードに入る、および、電力セービングモードを出ることに対する、例示的な動作を図示している。
【図７Ａ】図７Ａは、本開示のある実施形態にしたがった、電力セービングモードに入る、および、電力セービングモードを出ることを実行するコンポーネントを図示している。
【図８Ａ】図８Ａは、本開示のある実施形態にしたがった方法を実現することにより達成することができる潜在的な電力セービングを図示している。
【図８Ｂ】図８Ｂは、本開示のある実施形態にしたがった方法を実現することにより達成することができる潜在的な電力セービングを図示している。
【図８Ｃ】図８Ｃは、本開示のある実施形態にしたがった方法を実現することにより達成することができる潜在的な電力セービングを図示している。
【図８Ｄ】図８Ｄは、本開示のある実施形態にしたがった方法を実現することにより達成することができる潜在的な電力セービングを図示している。
【図９】図９は、本開示のある実施形態にしたがった、ダウンリンクバースト中で、フレーム制御ヘッダの後に電力セービングメッセージが続くことを示す例示的な動作を図示している。
【図９Ａ】図９Ａは、本開示のある実施形態にしたがった、ダウンリンクバースト中で、フレーム制御ヘッダの後に電力セービングメッセージが続くことを実行するコンポーネントを図示している。
【詳細な説明】
【００１４】
移動局（ＭＳ）における電力消費を減少させるようにする際に、ダウンリンクフレームプリフィックス（ＤＬＦＰ）の１つ以上のビットをメッセージ表示（ＭＩ）フィールドとして利用して、ＭＳに１つ以上の電力セービングメッセージの存在を知らせてもよい。ＤＬＦＰは、ＦＣＨにマッピングされてもよく、ＦＣＨは、ＤＬバーストに先行することから、ＭＳは、単にＦＣＨをデコードした後に、ＤＬサブフレームが１つ以上の電力サービングメッセージを含んでいるか否かを決定してもよい。
【００１５】
ＤＬバーストが関連したメッセージを含んでいることをＭＩフィールドが示す場合に、ＭＳは、フレームの残りの部分をデコードして、メッセージを処理してもよい。その一方で、ＤＬサブフレームにはＭＳに向けられている電力セービングメッセージがないことをＭＩフィールドが示す場合には、ＭＳは、フレームの残りの部分をデコードすることなく、スリープに戻ってもよい。したがって、ＭＩフィールドの提案するインプリメンテーションは、関連したメッセージがないことを見つけるためだけの、フレーム全体の不必要なデコーディングを回避することに役立ち、これは、結果として電力セービングになる。
【００１６】
例示的なワイヤレス通信システム
本開示の方法および装置は、ブロードバンドワイヤレス通信システム中で利用してもよい。ここで使用するとき、用語“ブロードバンドワイヤレス”は一般的に、所定のエリアにわたる、音声、インターネット、および／または、データネットワークアクセスのような、ワイヤレスサービスのうちの任意の組み合わせたものを提供する技術に関連する。
【００１７】
マイクロ波アクセスのための世界的な相互運用を意味する、ＷｉＭＡＸは、長距離にわたって高スループットブロードバンド接続を提供する標準規格ベースのブロードバンドワイヤレス技術である。今日、ＷｉＭＡＸの２つの主アプリケーションがある：固定ＷｉＭＡＸおよびモバイルＷｉＭＡＸである。固定ＷｉＭＡＸアプリケーションは、ポイントツーマルチポイントであり、これより、例えば、自宅および企業へのブロードバンドアクセスが可能になる。モバイルＷｉＭＡＸは、ブロードバンドのスピードでのセルラネットワークの完全な移動性を提供している。
【００１８】
モバイルＷｉＭＡＸは、ＯＦＤＭ（直交周波数分割多重化）技術、および、ＯＦＤＭＡ（直交周波数分割多元接続）技術に基づいている。ＯＦＤＭは、さまざまな高データレート通信システムにおける幅広い採用が最近見い出されたデジタル多重搬送波変調技術である。ＯＦＤＭでは、送信ビットストリームは、複数の低レートサブストリームに分割される。各サブストリームは、複数の直交副搬送波のうちの１つにより変調され、複数のパラレルサブチャネルのうちの１つを通して送られる。ＯＦＤＭＡは、異なるタイムスロット中でユーザに副搬送波を割り当てる多元接続技術である。ＯＦＤＭＡは、幅広く変化するアプリケーションや、データレートや、サービス品質要件で多くのユーザに対応できる柔軟な多元接続技術である。
【００１９】
ワイヤレスインターネットおよびワイヤレス通信における急激な成長は、ワイヤレス通信サービスの分野における高データレートに対する需要の増加をもたらした。ＯＦＤＭ／ＯＦＤＭＡシステムは今日、最も見込みのある研究分野のうちの１つとして、および、次世代のワイヤレス通信のための重要な技術として考えられている。これは、ＯＦＤＭ／ＯＦＤＭＡ変調スキームが、従来の単一搬送波変調スキームと比較して、変調効率、スペクトル効率、柔軟性および強力なマルチパス耐性のような、多くの利点を提供できるという事実による。
【００２０】
ＩＥＥＥ８０２．１６ｘは、固定および移動ブロードバンドワイヤレスアクセス（ＢＷＡ）システムに対するエアインターフェースを規定するための新興標準規格団体である。これらの標準規格は、少なくとも４つの異なる物理レイヤ（ＰＨＹ）および１つのメディアアクセス制御（ＭＡＣ）レイヤを定義する。４つの物理レイヤのうちのＯＦＤＭ物理レイヤおよびＯＦＤＭＡ物理レイヤは、それぞれ、固定および移動ＢＷＡエリアにおいて最も普及している。
【００２１】
図１は、ワイヤレス通信システム１００の例を図示している。ワイヤレス通信システム１００は、ブロードバンドワイヤレス通信システムであってもよい。ワイヤレス通信システム１００は、多数のセル１０２に対する通信を提供してもよく、セル１０２のそれぞれは、基地局１０４によりサービスされる。基地局１０４は、ユーザ端末１０６と通信する固定局であってもよい。代わりに、基地局１０４をアクセスポイント、ノードＢ、または他の何らかの専門用語として言及することがある。
【００２２】
図１は、システム１００全体にわたって分散されているさまざまなユーザ端末１０６を描写している。ユーザ端末１０６は、固定の（例えば静的な）または移動性のものであってもよい。代わりに、ユーザ端末１０６を遠隔局や、アクセス端末や、端末や、加入者ユニットや、移動局や、局や、ユーザ機器などとして言及することがある。ユーザ端末１０６は、セルラ電話機や、パーソナルデジタルアシスタント（ＰＤＡ）や、ハンドヘルドデバイスや、ワイヤレスモデムや、ラップトップコンピュータや、パーソナルコンピュータなどのような、ワイヤレスデバイスであってもよい。
【００２３】
ワイヤレス通信システム１００における、基地局１０４とユーザ端末１０６との間の送信にために、さまざまなアルゴリズムおよび方法を使用してもよい。例えば、ＯＦＤＭ／ＯＦＤＭＡ技術にしたがって、基地局１０４とユーザ端末１０６との間で信号を送信および受信してもよい。このケースである場合、ワイヤレス通信システム１００を、ＯＦＤＭ／ＯＦＤＭＡシステムとして言及することがある。
【００２４】
基地局１０４からユーザ端末１０６への送信を促進する通信リンクは、ダウンリンク１０８として言及し、ユーザ端末１０６から基地局１０４への送信を促進する通信リンクは、アップリンク１１０として言及することがある。代わりに、ダウンリンク１０８を、フォワードリンクまたはフォワードチャネルとして言及し、アップリンク１１０は、リバースリンクまたはリバースチャネルとして言及することがある。
【００２５】
セル１０２は複数のセクタ１１２に分割してもよい。セクタ１１２は、セル１０２内の物理的なカバレッジエリアである。ワイヤレス通信システム１００内の基地局１０４は、セル１０２の特定のセクタ１１２内に電力フローを集中させるアンテナを利用してもよい。このようなアンテナを、指向性アンテナとして言及することがある。
【００２６】
図２は、ワイヤレスデバイス２０２中で利用してもよい、さまざまなコンポーネントを図示している。ワイヤレスデバイス２０２は、ここで記述するさまざまな方法を実現するように構成されているデバイスの例である。ワイヤレスデバイス２０２は、基地局１０４またはユーザ端末１０６であってもよい。
【００２７】
ワイヤレスデバイス２０２は、ワイヤレスデバイス２０２の動作を制御するプロセッサ２０４を具備していてもよい。プロセッサ２０４を、中央処理装置（ＣＰＵ）としても言及することもある。メモリ２０６は、リードオンリーメモリ（ＲＯＭ）とランダムアクセスメモリ（ＲＡＭ）との双方を含んでいてもよく、プロセッサ２０４に命令およびデータを提供する。メモリ２０６の一部分はまた、不揮発性ランダムアクセスメモリ（ＮＶＲＡＭ）を含んでいてもよい。プロセッサ２０４は、メモリ２０６内に記憶されているプログラム命令に基づいて、論理的動作および算術動作を典型的に実行できる。メモリ２０６における命令は、ここに記述する方法を実現するために実行可能であってもよい。
【００２８】
ワイヤレスデバイス２０２はまた、送信機２１０および受信機２１２を有していてもよいハウジング２０８を備えており、これにより、ワイヤレスデバイス２０２と遠隔位置との間のデータの送信および受信が可能になる。送信機２１０および受信機２１２を、組み合わせて、トランシーバ２１４にしてもよい。アンテナ２１６は、ハウジング２０８に取り付けられていてもよく、電気的にトランシーバ２１４に結合されていてもよい。ワイヤレスデバイス２０２はまた、（示していない）複数の送信機、複数の受信機、複数のトランシーバ、および／または、複数のアンテナを備えていてもよい。
【００２９】
ワイヤレスデバイス２０２はまた、トランシーバ２１４により受信した信号のレベルを検出して、量を示すために使用してもよい信号検出器２１８を具備していてもよい。信号検出器２１８は、総エネルギーや、擬似ノイズ（ＰＮ）チップ当たりのパイロットエネルギーや、電力スペクトル密度や、他の信号のような、信号を検出してもよい。ワイヤレスデバイス２０２はまた、信号を処理する際に使用するためのデジタル信号プロセッサ（ＤＳＰ）２２０を具備していてもよい。
【００３０】
ワイヤレスデバイス２０２のさまざまなコンポーネントは、バスシステム２２２により互いに結合されていてもよく、バスシステム２２２は、データバスに加えて、電力バスや、制御信号バスや、ステータス信号バスを含んでもよい
図３は、ＯＦＤＭ／ＯＦＤＭＡを利用するワイヤレス通信システム１００内で使用してもよい送信機３０２の例を図示している。送信機３０２の一部分は、ワイヤレスデバイス２０２の送信機２１０中で実現してもよい。送信機３０２は、ダウンリンク１０８上でユーザ端末１０６にデータ３０６を送信するために、基地局１０４中で実現してもよい。送信機３０２はまた、アップリンク１１０上で基地局１０４にデータ３０６を送信するために、ユーザ端末１０６中で実現してもよい。
【００３１】
送信されるデータ３０６は、シリアルパラレル（Ｓ／Ｐ）変換器３０８への入力として提供されるように示している。Ｓ／Ｐ変換器３０８は、送信データをＮ個のパラレルデータストリーム３１０に分けてもよい。
【００３２】
Ｎ個のパラレルデータストリーム３１０はその後、マッパー３１２への入力として提供さてもよい。マッパー３１２は、Ｎ個のパラレルデータストリーム３１０をＮ個の配列点上にマッピングしてもよい。マッピングは、２位相シフトキーイング（ＢＰＳＫ）や、直角位相シフトキーイング（ＱＰＳＫ）や、８位相シフトキーイング（８ＰＳＫ）や、直交振幅変調（ＱＡＭ）などのような、何らかの変調配列を使用してなされてもよい。したがって、マッパー３１２は、Ｎ個のパラレルシンボルストリーム３１６を出力してもよく、各シンボルストリーム３１６は、高速逆フーリエ変換（ＩＦＦＴ）３２０のＮ個の直交副搬送波のうちの１つに対応している。これらのＮ個のパラレルシンボルストリーム３１６は、周波数ドメインで表現され、ＩＦＦＴコンポーネント３２０により、Ｎ個のパラレル時間ドメインサンプルストリーム３１８にコンバートされてもよい。
【００３３】
ここから、専門用語についての簡潔な注記を提供する。周波数ドメインにおけるＮ個のパラレル変調は、周波数ドメインにおけるＮ個の変調シンボルに等しく、周波数ドメインにおけるＮ個の変調シンボルは、周波数ドメインにおけるＮ個のマッピングおよびＮポイントＩＦＦＴに等しく、周波数ドメインにおけるＮ個のマッピングおよびＮポイントＩＦＦＴは、時間ドメインにおける１個の（有用な）ＯＦＤＭシンボルに等しく、時間ドメインにおける１個の（有用な）ＯＦＤＭシンボルは、時間ドメインにおけるＮ個のサンプルに等しい。時間ドメインにおける１個のＯＦＤＭシンボルＮsは、Ｎcp（ＯＦＤＭシンボル当たりのガードサンプルの数）＋Ｎ（ＯＦＤＭシンボル当たりの有用なサンプルの数）に等しい。
【００３４】
Ｎ個のパラレル時間ドメインサンプルストリーム３１８は、パラレルシリアル（Ｐ／Ｓ）変換器３２４により、ＯＦＤＭ／ＯＦＤＭＡシンボルストリーム３２２にコンバートされてもよい。ガード挿入コンポーネント３２６は、ＯＦＤＭ／ＯＦＤＭＡシンボルストリーム３２２中の連続するＯＦＤＭ／ＯＦＤＭＡシンボル間にガードインターバルを挿入してもよい。その後、ガード挿入コンポーネント３２６の出力は、無線周波数（ＲＦ）フロントエンド３２８により、所望の送信周波数帯域にアップコンバートされてもよい。その後、アンテナ３３０は、結果として得られる信号３３２を送信してもよい。
【００３５】
図３はまた、ＯＦＤＭ／ＯＦＤＭＡを利用するワイヤレス通信システム１００内で使用してもよい受信機３０４の例を図示している。受信機３０４の一部分は、ワイヤレスデバイス２０２の受信機２１２中で実現してもよい。受信機３０４は、ダウンリンク１０８上で基地局１０４からデータ３０６を受信するために、ユーザ端末１０６中で実現してもよい。受信機３０４はまた、アップリンク１１０上でユーザ端末１０６からデータ３０６を受信するために、基地局１０４中で実現してもよい。
【００３６】
送信信号３２２は、ワイヤレスチャネル３３４を通して伝わるように示されている。信号３３２’がアンテナ３３０’により受信されたとき、受信信号３２２’は、ＲＦフロントエンド３２８’により、ベースバンド信号にダウンコンバートされてもよい。ガード除去コンポーネント３２６’はその後、ガード挿入コンポーネント３２６により、ＯＦＤＭ／ＯＦＤＭＡシンボル間に挿入されたガードインターバルを除去してもよい。
【００３７】
ガード除去コンポーネント３２６’の出力は、Ｓ／Ｐ変換器３２４’に提供される。Ｓ／Ｐ変換器３２４’は、ＯＦＤＭ／ＯＦＤＭＡシンボルストリーム３２２’をＮ個のパラレル時間ドメインシンボルストリーム３１８’に分割してもよく、Ｎ個のパラレル時間ドメインシンボルストリーム３１８’のうちのそれぞれは、Ｎ個の直交副搬送波のうちの１つに対応している。高速フーリエ変換（ＦＦＴ）コンポーネント３２０’は、Ｎ個のパラレル時間ドメインシンボルストリーム３１８’を周波数ドメインにコンバートし、Ｎ個のパラレル周波数ドメインシンボルストリーム３１６’を出力してもよい。
【００３８】
デマッパー３１２’は、マッパー３１２により実行されたシンボルマッピング動作の逆を実行してもよく、これにより、Ｎ個のパラレルデータストリーム３１０’を出力する。Ｐ／Ｓ変換器３０８’は、Ｎ個のパラレルデータストリーム３１０’を単一データストリーム３０６’に合成してもよい。理想的には、このデータストリーム３０６’は、入力として、送信機３０２に提供されたデータ３０６に対応する。
【００３９】
例示的なＯＦＤＭ（Ａ）フレーム
ここで図４を参照すると、典型的な例として、例えば、時分割デュプレクス（ＴＤＤ）インプリメンテーションに対するＯＦＤＭ（Ａ）フレーム４００を描写しているが、これに限定されるものではない。ダウンリンク（ＤＬ）およびアップリンク（ＵＬ）の双方が、異なる搬送波を通して同時に送信されることを除いて、フレームは同じものである場合、全二重および半二重周波数分割デュプレクス（ＦＤＤ）のような、ＯＦＤＭ（Ａ）フレームの他のインプリメンテーションを使用してもよい。ＴＤＤインプリメンテーションにおいて、各フレームは、ＤＬ送信およびＵＬ送信の衝突を防止するために、ＤＬサブフレーム４０２およびＵＬサブフレーム４０４に分割されてもよい。各フレームは、小さなガードインターバル４０６により、すなわち、さらに詳細に述べると、送信／受信の移行ギャップおよび受信／送信の移行ギャップ（それぞれ、ＴＴＧおよびＲＴＧ）により分けられていてもよい。ＤＬ対ＵＬサブフレーム比は、異なるトラフィックプロファイルをサポートするために３：１から１：１まで変えてもよい。
【００４０】
ＯＦＤＭ（Ａ）フレーム４００内に、さまざまな制御情報が含まれていてもよい。例えば、フレーム４００の最初のＯＦＤＭ（Ａ）シンボルは、プリアンブル４０８であり、プリアンブル４０８は、同期化のために使用されるいくつかのパイロット信号（パイロット）を含んでいてもよい。プリアンブル４０８内の固定パイロットシーケンスは、受信機３０４が、周波数および位相の誤差を推定したり、送信機３０２に同期化したりすることを可能にする。さらに、ワイヤレスチャネルを推定および等化するために、プリアンブル４０８中の固定パイロットシーケンスを利用してもよい。プリアンブル４０８は、ＢＰＳＫ変調搬送波を含んでいてもよく、典型的に、１個のＯＦＤＭシンボル長である。プリアンブル４０８の搬送波は、電力ブーストされてもよく、典型的に、ＷｉＭＡＸ信号中のデータ部分の周波数ドメインにおける電力レベルよりも数デシベル（ｄＢ）（例えば、９ｄＢ）高い。使用されるプリアンブルの搬送波の番号は、ゾーンの３つのセグメントのうちのどれを使用するかを示していてもよい。例えば、搬送波０、３、６、...は、セグメント０を使用すべきであることを示していてもよく、搬送波１、４、７、...は、セグメント１を使用すべきであることを示していてもよく、搬送波２、５、８、...は、セグメント３を使用すべきであることを示していてもよい。
【００４１】
フレーム制御ヘッダ（ＦＣＨ）４１０が、プリアンブル４０８に続く。ＦＣＨ４１０は、使用可能なサブチャネルや、変調およびコーディングスキームや、現行のＯＦＤＭ（Ａ）フレームに対するメディアアクセスプロトコル（ＭＡＰ）メッセージ長のような、フレーム構成情報を提供してもよい。
【００４２】
ＦＣＨ４１０に続いて、ＤＬおよびＵＬサブフレーム４０２、４０４に対する、サブチャネル割り振りおよび他の制御情報を、ＤＬ ＭＡＰ４１０およびＵＬ ＭＡＰ４１６が指定してもよい。ＯＦＤＭＡのケースにおいて、複数のユーザが、フレーム内のデータ領域に割り振られてもよく、これらの割り振りは、ＤＬおよびＵＬ ＭＡＰメッセージ４１４、４１６において指定されていてもよい。ＭＡＰメッセージは、各ユーザに対するバーストプロファイルを含んでいてもよく、このバーストプロファイルは、特定のリンクにおいて使用される変調およびコーディングスキームを規定している。ＯＦＤＭ（Ａ）フレームのＤＬサブフレーム４０２は、通信されているダウンリンクデータを含む、さまざまなビット長のＤＬバーストを含んでいてもよい。したがって、ＤＬ ＭＡＰ４１４は、ダウンリンクゾーン中に含まれるバーストの位置、および、ダウンリンクバーストの数とともに、これらのオフセットならびに長さを、時間（すなわち、シンボル）および周波数（すなわち、サブチャネル）の双方向で記述していてもよい。
【００４３】
同様に、ＵＬサブフレーム４０４は、通信されているアップリンクデータからなる、さまざまなビット長のＵＬバーストを含んでいてもよい。それゆえ、ダウンリンクサブフレーム４０２における最初のバーストとして送信されるＵＬ ＭＡＰ４１６は、異なるユーザに対するＵＬバーストの位置についての情報を含んでいてもよい。ＵＬサブフレーム４０４は、図４Ａで図示したような付加的な制御情報を含んでいてもよい。ＵＬサブフレーム４０４は、ＤＬハイブリッド自動反復要求肯定応答（ＨＡＲＱ ＡＣＫ）をフィードバックするための、移動局（ＭＳ）に対して割り振られたＵＬ ＡＣＫ４１８、および／または、チャネル品質インジケータチャネル（ＣＱＩＣＨ）に関するチャネル状態情報をフィードバックするための、ＭＳに対して割り振られたＵＬ ＣＱＩＣＨ４２０を含んでいてもよい。さらに、ＵＬサブフレーム４０４は、ＵＬレンジングサブチャネル４２２を含んでいてもよい。閉ループの、時間、周波数、および電力調整とともに、帯域幅要求を実行するために、ＵＬレンジングサブチャネル４２２はＭＳに割り振られていてもよい。
【００４４】
全体として、プリアンブル４０８、ＦＣＨ４１０、ＤＬ ＭＡＰ４１４、およびＵＬ ＭＡＰ４１６は、受信機３０４が正確に受信信号を復調することを可能にする情報を運んでもよい。
【００４５】
ＯＦＤＭＡにおいて、ＤＬおよびＵＬ中の送信に対して、異なる“モード”を使用することができる。あるモードが使用される時間ドメインにおけるエリアを、一般的に、ゾーンとして言及する。１つのタイプのゾーンを、ＤＬ−ＰＵＳＣ（サブチャネルのうちのダウンリンクの部分的使用）と呼び、利用可能なすべてのサブチャネルを使用するのではない（すなわち、ＤＬ−ＰＵＳＣゾーンは、サブチャネルうちの特定のグループのみを使用してもよい）。トータル６つのサブチャネルグループがあってもよく、トータル６つのサブチャネルグループは、３つまでのセグメントに割り当てることができる。したがって、セグメントは１つないし６つのサブチャネルを含むことができる（例えば、セグメント０は、３つのサブチャネルグループを含んでいてもよく、セグメント１は、２つのサブチャネルグループを含んでいてもよく、セグメント２は、１つのサブチャネルグループを含んでいてもよい）。別のタイプのゾーンを、ＤＬ−ＦＵＳＣ（サブチャネルのダウンリンク完全使用）と呼ぶ。ＤＬ−ＰＵＳＣとは異なり、ＤＬ−ＦＵＳＣは、セグメントをまったく使用しないが、全部の周波数範囲にわたって、すべてのバーストを分配できる。
【００４６】
例示的なメッセージ表示フィールド
移動体通信デバイスにおける電力消費が非常に懸念されているため、ある状況下で、例えば、あるインアクティビティの期間の後に、電力セービングモード（例えば、スリープモードまたはアイドルモード）に入るように、および、あるサブシステムを電源切断するように、移動局は典型的に構成されている。しかしながら、以前に記述したように、移動体通信デバイスが、スリープモードまたはアイドルモードであるときでさえ、ページングメッセージ、トラフィック表示メッセージ、ダウンリンクチャネル記述（ＤＣＤ）メッセージ、および、アップリンクチャネル記述（ＵＣＤ）メッセージのような、電力セーブに関連するメッセージを受信するためのしばらくの間、移動体通信デバイスは、周期的に起動する必要がある。
【００４７】
これらの電力セーブに関連するメッセージは、典型的に、フレーム中の１つ以上のＤＬバースト中に見い出せる。従来のシステムでは、電力セービングメッセージが存在するか否かを決定するために、ＭＳは、起動して、ダウンリンク（ＤＬ）サブフレーム４０２全体をデコードしなければならない。デコードされたＤＬバースト中に、電力セービングメッセージが存在しなかった場合には、ＭＳは、不必要にＤＬサブフレーム４０２全体をデコードて、結果として電力の無駄使いになるかもしれない。
【００４８】
フレーム制御ヘッダ（ＦＣＨ）中に、メッセージインジケータ（ＭＩ）フィールドを含めることで、本開示のある実施形態は、ＭＳがＦＣＨのみをデコードすることによって電力セーブに関連するメッセージの存在を決定することができるようにすることにより、電力消費を減少させるのに役立つ。ＤＬサブフレームにはＭＳに向けられている電力セービングメッセージがないことをＭＩフィールドが示す場合に、ＭＳは、フレームの残りの部分をデコードすることなく、スリープに戻ることができ、これにより、総電力消費が減少する。
【００４９】
後に続くＤＬバーストにおける、電力セーブに関連するメッセージの存在の表示を提供するＭＩフィールドを、何らかの適切な方法でＦＣＨ中に含めてもよい。ある実施形態において、標準規格の１つ以上のバージョンにしたがって予約される、ＦＣＨ中の１つ以上のビットの組を使用して、ＭＩフィールドを実現してもよい。
【００５０】
例えば、ＩＥＥＥ８０２．１６ｅ標準規格の下で確立されているように、図５Ａは、ＦＣＨ４１０（図４参照）にマッピングされるフレーム構成情報を概説している例示的なダウンリンクフレームプリフィックス（ＤＬＦＰ）データ構造５００を図示している。図示しているように、ＤＬＦＰ構造５００は２４ビットを含んでいる。ＦＣＨ４１０にマッピングするより前に、２４ビットのＤＬＦＰを、最小フォワード誤り訂正（ＦＥＣ）ブロックサイズである４８ビットのブロックを形成するために複製してもよい。
【００５１】
ＤＬＦＰ５００は、使用するサブチャネル（ＳＣＨ）ビットマップフィールド５１０、反復コーディング表示フィールド５３０、コーディング表示フィールド５４０、および、ダウンリンクメディアアクセスプロトコル（ＤＬ−ＭＡＰ）メッセージ長５５０を含む。ＤＬＦＰ構造５００はまた、予約されているビット５２０と１組の予約されているビット５６０とを含み、そのうちの１つ以上のものをＭＩフィールドとして使用してもよい。
【００５２】
例えば、図５Ｂで図示しているように、フレーム中のＤＬバーストをデコードする必要なく、１つ以上の電力セービングメッセージの存在を受信ＭＳに知らせるために使用するメッセージ表示フィールド５７０として、ＤＬＦＰ構造５００’は、（以前から）予約されているビット５６０を利用してもよい。ＭＩフィールド５７０のビットは、電力セーブに関連するメッセージの存在の表示とともに、メッセージのタイプを提供してもよい。
【００５３】
例えば、ＭＩフィールドは、各々が異なるタイプの電力セーブに関連するメッセージの存在を示す、１組のビットを含んでいてもよい。図示している例では、ダウンリンクチャネルおよびアップリンクチャネルの物理レイヤ特性を識別するＤＣＤ／ＵＣＤメッセージの存在を示すために、第１のビット（ＢＩＴ＃０）を使用している。ＭＳに宛てられているトラフィックの到着を表すＭＯＢ＿ＴＲＦ−ＩＮＤメッセージの存在を示すために、第２のビット（ＢＩＴ＃１）を使用している。ＭＳがＢＳに位置更新を提供する必要性を表すＭＯＢ＿ＰＡＧ−ＡＤＶメッセージの存在を示すために、第３のビット（ＢＩＴ＃２）を使用している一方で、ビット＃３は予約ビットのままである。
【００５４】
もちろん、ある実施形態においては、各メッセージタイプに対して別々のビットを提供するよりむしろ、異なるメッセージタイプを示すためにマルチビットコードを利用してもよく、これは、他の目的のためにビットを節約することに役立つ。例えば、２ビットのコードを使用すると、コード“００”を使用して、ＤＣＤメッセージを示してもよく、コード“０１”を使用して、ＵＣＤメッセージを示してもよく、“１０”を使用して、ＭＯＢ＿ＴＲＦ−ＩＮＤメッセージを示してもよく、“１１”を使用して、ＭＯＢ＿ＰＡＧ−ＡＤＶメッセージを示してもよい。
【００５５】
図６は、ＭＳをターゲットにした電力セーブに関連するメッセージをフレームが含んでいることをＭＳにシグナリングするために、ＢＳがどのようにＭＩフィールドを利用するかを図示するタイムラインを示している。例はスリープモードを図示しているが、アイドルモードのような他の電力セービングモードにおいてとともに、初期捕捉状態で、類似した動作を実行してもよい。
【００５６】
通常動作モード６３０1では、ＭＳはＢＳにスリープ要求６０２を送る。ＢＳは、（例えば、ＭＳに対する即時のトラフィックがないことを決定した後に）スリープ応答６０４によって応答してもよい。応答を受信した後に、ＭＳはスリープモード６１０1に入ってもよい。ページングメッセージ、トラフィック表示メッセージ、ダウンリンクチャネル記述（ＤＣＤ）メッセージ、および、アップリンクチャネル記述（ＵＣＤ）メッセージのような、電力セーブメッセージ６２２1を受信するためのしばらくの間、ＭＳは、周期的に起動して、リスニングウィンドウ６２０1に入ってもよい。スリープモードに入るときに、スリープウィンドウおよびリスニングウィンドウのサイズを確立してもよい。電力セービングクラスタイプに基づいて、スリープウィンドウは、固定であってもよく、または、指数的に増してもよい。例えば、図６では、スリープウィンドウは、Ｎ個のフレーム（６１０1）からＮ＊２個のフレーム（６１０2）に増加し、ＭＳがスリープモードを出ない場合には、示してはいないが、Ｎ＊４個のフレームのスリープウィンドウが続くだろう。
【００５７】
ＭＳは、リスニングウィンドウ６２０1の間にフレーム（６２２1）を受信し、ＦＣＨをデコードしてＭＩフィールドをチェックするにもかかわらず、ＤＬサブフレームが電力セーブメッセージを含んでいないことをＭＩフィールドが示す場合に、ＭＳデバイスは、フレームの残りの部分（例えば、ＤＬバースト）をデコードすることなく、電力セーブモード６１０2に再び入ることができ、これにより、電力消費が減少する。
【００５８】
少し後に、ＢＳは、ＭＳに向けられているトラフィック（例えば、プロトコルデータユニット−ＰＤＵ）を受信するかもしれない。それゆえ、後続のリスニングウィンドウ６２０2の間に、ＭＳは、電力セーブに関連するメッセージをＤＬバーストが含んでいるという肯定表示を有するＭＩフィールドを持つＦＣＨを有するフレーム（６２２2）を受信するかもしれない。
【００５９】
ＦＣＨをデコードしてＭＩフィールドをチェックし、この肯定表示を見つけた後に、ＭＳは、フレームの残りの部分（例えば、ＤＬバースト）をデコードして、その中に含まれるメッセージを処理してもよい。例えば、ＭＩフィールドが、ＭＯＢ＿ＴＲＦ−ＩＮＤメッセージを示す場合に、ＭＳは、メッセージを含むＤＬバーストをデコードし、そのメッセージに応答して、ＭＳとＢＳとの間のダウンリンクおよびアップリンク交換６３２を伴う通常動作モード６３０2に入ってもよい。
【００６０】
図７は、部分的にデコードされたフレーム中のＭＩフィールドに基づいて、デコードするフレームの量を変えるためにＭＳが実行する、図６のダイヤグラムに対応する例示的な動作７００を図示している。動作７００は、７０２において、電力セービングモードに入ることにより開始し、７０４において、ＭＳはスリープ（または、アイドル）へ行く。
【００６１】
７０６において、ＭＳは、起動して、メッセージをリスニングする。７０８において決定されているように、メッセージを受信しなかった場合に、ＭＳは、７０４にいて、スリープに戻る。しかしながら、メッセージを受信した場合は、７１０において、ＭＩフィールドを有するＦＣＨをデコードする。電力セーブに関連するメッセージが後続のＤＬバースト中にあることをＭＩフィールドが示していない場合には、ＭＳは、７１４において、フレームデータの残りの部分をデコードすることなく、スリープに戻る。
【００６２】
しかしながら、電力セーブに関連するメッセージが後続のＤＬバースト中にあることをＭＩフィールドが示している場合には、ＭＳは、７１６において、残りのフレームデータをデコードして、電力セービングに関連するメッセージを抽出する。以前に記述したように、例えば、ページングメッセージを受信するために、または、ＭＳに向けられているトラフィックをＢＳが有する場合に、電力セービングに関連するメッセージは、ＭＳがスリープモードを出るように促してもよい。
【００６３】
図８Ａ−Ｄは、本開示のある実施形態にしたがった、ＭＳの異なるモードの動作に関係する電力消費を図示している。図８Ａは、フレーム全体（ＦＣＨ４１０およびデータバースト）がデコードされる通常動作モード８３０におけるＭＳの電力消費を図示している。
【００６４】
対照的に、図８Ｂは、ＤＣＤメッセージおよびＵＣＤメッセージのみをＭＳが受信する必要がある初期捕捉状態の間の、ＭＳの電力消費を図示している。ＤＣＤメッセージとＵＣＤメッセージとの間に不特定数のフレームが生じることがあることから、それらのフレームのうちのＦＣＨのみをデコードし、残りのフレームデータはデコードしない。しかしながら、関連するメッセージがフレーム中に含まれていることをデコードされたＦＣＨが示すときに、対応するデータバーストも同様にデコードする。
【００６５】
図８Ｃは、ＭＳに宛てられているトラフィックの到着を表すＭＯＢ＿ＴＲＦ−ＩＮＤメッセージのみをＭＳがリスニングする必要があるスリープモードにおいての、ＭＳの電力消費を図示している。ＭＳは、スリープモード８１０に入るより前に、スリープ要求の肯定応答を示すメッセージをＢＳから受信していたかもしれないことから、スリープウィンドウの間にメッセージを受信またはデコードするために、ＭＳのパーツは電源投入されないだろう。しかしながら、ＭＳは、周期的に起動して、リスニングウィンドウ８２０に入り、メッセージを待ってもよい。図示しているように、ＭＳは、リスニングウィンドウのうちの１つ以上のフレームの間にメッセージを受信しないかもしれない。このような事例では、ＭＳは、ＦＣＨ４１０のみをデコードして、メッセージ表示ヘッダの評価に基づいて、ＤＬサブフレーム４０２には電力セーブメッセージがないことを決定した後に、残りのフレームデータをデコードすることなく、スリープに戻ってもよい。ＭＳがＦＣＨ４１０をデコードし、ＭＯＢ＿ＴＲＦ−ＩＮＤメッセージの存在をメッセージ表示ヘッダが表すとき、ＭＳは、データバーストをデコードおよび処理する。
【００６６】
図８Ｄは、アイドルモードであるＭＳの電力消費を図示している。アイドルモードでは、ＭＳがＢＳに位置更新を提供する必要性を表すＭＯＢ＿ＰＡＧ−ＡＤＶメッセージのみをＭＳがリスニングする必要がある。アイドルモードにおけるときに、アイドルウィンドウ８４０の間にメッセージを受信またはデコードするために、アイドルモードであるＭＳのあるパーツは電源投入されないかもしれない。先に記述したように、ＭＳは、リスニングウィンドウ８５０のうちの１つ以上のフレームの間に、関連した電力セーブメッセージを受信しないかもしれない。このような事例では、ＭＳは、ＦＣＨ４１０のみをデコードして、ＤＬサブフレーム４０２には電力セーブメッセージがないことを決定した後に、デコーディングを止めてもよい。ＭＯＢ＿ＰＡＧ−ＡＤＶメッセージの存在を表すＭＩフィールドを有するＦＣＨ４１０をＭＳがデコードするとき、ＭＳは、後続のデータバーストをデコードおよび処理する。
【００６７】
図９は、電力セービングに関連するメッセージを対応するフレームが含む、ＦＣＨのメッセージインジケータ（ＭＩ）フィールドを通して、ＭＳにシグナリングするために、基地局（ＢＳ）において実行されてもよい例示的な動作９００を図示している。動作は、９０２において、フレーム制御ヘッダ（ＦＣＨ）を発生させることにより開始する。９０４において決定されているように、対応するフレームデータが、電力セービングに関連するメッセージを含むデータバーストを持つだろう場合に、ＢＳは、それに応じて、９０６において、ＦＣＨのメッセージインジケータ（ＭＩ）フィールド中に、１つ以上のビットを設定する。９０８において、ＭＩフィールドを有するＦＣＨを送信する。
【００６８】
上述した方法のさまざまな動作は、図面中に図示したミーンズプラスファンクションブロックに対応する、さまざまなハードウェアおよび／またはソフトウェアのコンポーネントおよび／またはモジュールにより実行してもよい。一般的に、図面中に図示している方法が、対応するよく似たミーンズプラスファンクション図を有する場合、動作ブロックは、類似したナンバリングを有するミーンズプラスファンクションブロックに対応する。例えば、図７中に図示したブロック７００から７１６は、図７Ａ中に図示したミーンズプラスファンクションブロック７００Ａから７１６Ａに対応している。同様に、図９中に図示したブロック９００から９０８は、図９Ａ中に図示したミーンズプラスファンクションブロック９００Ａから９０８Ａに対応している。
【００６９】
ここで使用するような、用語“決定すること”は、幅広いさまざまなアクションを包含する。例えば、“決定すること”は、計算することや、電算処理することや、処理することや、導出することや、調査することや、ルックアップすること（例えば、表や、データベースや、別のデータ構造をルックアップすること）や、確認することや、これらに類するものを含んでいてもよい。また、“決定すること”は、受信すること（例えば、情報を受信すること）や、アクセスすること（例えば、メモリ中のデータにアクセスすること）や、これらに類するものを含んでいてもよい。また、“決定すること”は、解決することや、選択することや、選ぶことや、確立することや、これらに類するものを含んでいてもよい。
【００７０】
情報および信号は、さまざまな異なる技術および技法のうちの任意のものを使用して表してもよい。例えば、上記の説明にわたって参照されているデータ、命令、コマンド、情報、信号、およびこれらに類するものは、電圧、電流、電磁波、磁界または磁粒子、光界または光粒子、あるいは、これらの任意の組み合わせたものにより表すことができる。
【００７１】
本開示に関連して記述した、さまざまな例示的な論理ブロック、モジュールおよび回路は、汎用プロセッサ、デジタル信号プロセッサ（ＤＳＰ）、特定用途向け集積回路（ＡＳＩＣ）、現場プログラム可能ゲートアレイ信号（ＦＰＧＡ）または他のプログラム可能論理デバイス（ＰＬＤ）、ディスクリートゲートまたはトランジスタ論理、ディスクリートハードウェアコンポーネント、あるいは、ここに開示した機能を実行するように設計されているこれらの任意の組み合わせたものにより、実現あるいは実行してもよい。汎用プロセッサはマイクロプロセッサであってもよいが、代替実施形態では、プロセッサは、任意の商業上利用可能なプロセッサ、制御装置、マイクロ制御装置または状態機械であってもよい。プロセッサはまた、例えば、ＤＳＰおよびマイクロプロセッサを組み合わせたものや、複数のマイクロプロセッサや、ＤＳＰコアを伴う１つ以上のマイクロプロセッサや、任意のその他のこのような構成のような、コンピューティングデバイスを組み合わせたものとして実現してもよい。
【００７２】
本開示に関連して記述した方法またはアルゴリズムのステップは、ハードウェアで、プロセッサにより実行されるソフトウェアモジュールで、あるいは、双方を組み合わせたもので直接的に具現化してもよい。ソフトウェアモジュールは、技術的に知られている何らかの形態の記憶媒体に存在していてもよい。使用できる記憶媒体のいくつかの例は、ランダムアクセスメモリ（ＲＡＭ）、リードオンリーメモリ（ＲＯＭ）、フラッシュメモリ、ＥＰＲＯＭメモリ、ＥＥＰＲＯＭメモリ、レジスタ、ハードディスク、リムーブバルディスク、ＣＤ−ＲＯＭなどを含む。ソフトウェアモジュールは、単一の命令、または、多くの命令を備えていてもよく、いくつかの異なるコードセグメント上で、異なるプログラムの間で、および、複数の記憶媒体を介して、分配してもよい。記憶媒体は、プロセッサが記憶媒体から情報を読み取り、記憶媒体に情報を書き込むことができるようにプロセッサに結合してもよい。代替実施形態では、記憶媒体はプロセッサと一体化されてもよい。
【００７３】
ここで開示した方法は、記述した方法を達成するための１つ以上のステップまたはアクションを含んでいる。方法ステップおよび／またはアクションは、特許請求の範囲から逸脱することなく、別のものに入れ替えてもよい。言い換えると、ステップまたはアクションの特定の順序が指定されない限り、特許請求の範囲から逸脱することなく、特定のステップおよび／またはアクションの順序および／または使用を改良してもよい。
【００７４】
記述した機能は、ハードウェアで、ソフトウェアで、ファームウェアで、またはこれらのものを組み合わせた任意のもので実現してもよい。ソフトウェアで実現された場合、関数は、命令または１つ以上の組の命令のとして、コンピュータ読取可能媒体または記憶媒体上に記憶してもよい。記憶媒体は、コンピュータまたは１つ以上の処理デバイスによりアクセスできる任意の利用可能な媒体であってもよい。例として、このようなコンピュータ読取可能媒体は、ＲＡＭ、ＲＯＭ、ＥＥＰＲＯＭ、ＣＤ−ＲＯＭまたは他の光ディスク記憶装置、磁気ディスク記憶装置または他の磁気記憶デバイス、あるいは、コンピュータによりアクセスでき、命令またはデータ構造の形態で所望のプログラムコードを運ぶまたは記憶するために使用できる他の何らかの媒体を含むことができるが、これらに限定されるものではない。ここで使用したようなディスク（ｄｉｓｋおよびｄｉｓｃ）は、コンパクトディスク（ＣＤ）、レーザーディスク（登録商標）、光ディスク、デジタル汎用ディスク（ＤＶＤ）、フロッピー（登録商標）ディスク、および、ブルーレイ（登録商標）ディスクを含むが、一般的に、ディスク（ｄｉｓｋ）は、データを磁気的に再生する一方で、ディスク（ｄｉｓｃ）はデータをレーザによって光学的に再生する。
【００７５】
ソフトウェアまたは命令はまた、送信媒体を通して送信してもよい。例えば、ソフトウェアが、ウェブサイト、サーバ、あるいは同軸ケーブルや、光ファイバケーブルや、撚り対や、デジタル加入者回線（ＤＳＬ）、あるいは赤外線、無線、およびマイクロ波のようなワイヤレス技術を使用している他の遠隔ソースから送信された場合、同軸ケーブル、光ファイバケーブル、撚り対、ＤＳＬ、あるいは赤外線、無線、およびマイクロ波のようなワイヤレス技術は、送信媒体の定義に含まれる。
【００７６】
さらに、ここで記述した方法および技術を実行する、モジュールおよび／または他の適切な手段はダウンロードすることができ、ならびに／あるいは、そうでなければ、ユーザ端末および／または基地局により、適用可能なように取得できることを正しく認識すべきである。例えば、このようなデバイスは、サーバに結合することができ、ここで記述した方法を実行する手段の転送を容易にする。代替的に、ここで記述したさまざまな方法は、記憶手段（例えば、ＲＡＭ、ＲＯＭ、コンパクトディスク（ＣＤ）やフロッピーディスクなどのような物理的な記憶媒体）を通して提供でき、それにより、ユーザ端末および／または基地局は、記憶手段をデバイスに結合または提供すると、さまざまな方法を取得することができる。さらに、ここで記述した方法および技術をデバイスに提供する他の任意の適した技法を利用することができる。
【００７７】
特許請求の範囲は上記で図示した厳密な構成およびコンポーネントに限定されるものではないことを理解すべきである。上述した方法および装置の、配置、動作および詳細において、特許請求の範囲から逸脱することなく、さまざまな改良、変更、バリエーションを行うことができる。
【図１】
2011524697.tif 000003
【図２】
2011524697.tif 000004
【図３】
2011524697.tif 000005
【図４】
2011524697.tif 000006
【図５Ａ】
2011524697.tif 000007
【図５Ｂ】
2011524697.tif 000008
【図６】
2011524697.tif 000009
【図７】
2011524697.tif 000010
【図７Ａ】
2011524697.tif 000011
【図８Ａ】
2011524697.tif 000012
【図８Ｂ】
2011524697.tif 000013
【図８Ｃ】
2011524697.tif 000014
【図８Ｄ】
2011524697.tif 000015
【図９】
2011524697.tif 000016
【図９Ａ】
2011524697.tif 000017
【国際調査報告】
2011524697.tif 000018
2011524697.tif 000019
2011524697.tif 000020